(57)【特許請求の範囲】
【請求項１】
第１回路と、第２回路とを具備する無線周波数回路であって、
前記第１回路は、第１信号及び第２信号を受信し、前記第１信号を、第３信号と、第４信号とに分割し、前記第２信号を、第５信号と、第６信号とに分割し、前記第５信号の位相を調整して第７信号を取得し、前記第７信号と前記第３信号とを合成し第８信号とするように構成されており、
前記第２回路は、プライマリ電力増幅器ブランチとセカンダリ電力増幅器ブランチとを具備し、前記プライマリ電力増幅器ブランチは、アウトフェージング方式を用いた増幅回路を具備し、前記セカンダリ電力増幅器ブランチは、セカンダリ電力増幅器を具備し、前記アウトフェージング方式を用いた増幅回路は、前記第４信号及び前記第６信号を処理するように構成され、前記セカンダリ電力増幅器は、前記第８信号を処理するように構成されており、
前記第１信号及び前記第２信号は、変調信号に位相分解を実行することで得られたものであり、
前記第１信号の位相は、φ(t)であり、前記第２信号の位相は、-φ(t)であり、φ(t)の値は、０°から９０°の範囲であり、前記第１信号の振幅は、前記第２信号の振幅と等しく、φ(t)は、時間に関する関数であり、ｔ≧０、ｔは時間を示す、
ことを特徴とする無線周波数回路。
【請求項２】
前記第１回路は、マイクロストリップをさらに具備し、前記マイクロストリップは、前記第５信号の前記位相を調整するように構成され、前記マイクロストリップの長さは、前記第５信号の位相シフトに正比例することを特徴とする請求項１に記載の無線周波数回路。
【請求項３】
前記第１回路は、アッテネーションネットワーク及びコンバイナをさらに具備し、
前記アッテネーションネットワークは、前記第７信号と前記第３信号をアッテネートするように構成され、
前記コンバイナは、前記アッテネートされた第７信号と前記アッテネートされた第３信号を結合し前記第８信号とするように構成されている
ことを特徴とする請求項２に記載の無線周波数回路。
【請求項４】
前記第８信号は、前記セカンダリ電力増幅器の信号入力端から入力され、
前記第８信号の振幅が信号しきい値に達する場合には、前記セカンダリ電力増幅器は、前記第８信号の増幅処理の実行が開始され、前記信号しきい値は、前記セカンダリ電力増幅器の開始に必要な最小信号振幅であり、
前記セカンダリ電力増幅器の導通角の値は、１２０°より大きい
ことを特徴とする請求項１に記載の無線周波数回路。
【請求項５】
請求項１から４のいずれか一項に記載の無線周波数回路を具備することを特徴とする送信器。
【請求項６】
請求項５に記載の送信器を具備する基地局であって、
前記基地局は、通信インターフェース、プロセッサ、及び電源をさらに具備することを特徴とする基地局。
【請求項７】
請求項５に記載の送信器を具備するユーザ端末であって、
前記ユーザ端末は、メモリ、外部ポート、無線周波数回路、ペリフェラルインターフェース、プロセッサ、及び電源をさらに具備することを特徴とするユーザ端末。
【発明の詳細な説明】
【技術分野】
【０００１】
本発明は、通信分野に関連し、具体的には、無線周波数回路（radio frequency circuit）、送信器、基地局、及びユーザ端末に関連する。
【背景技術】
【０００２】
無線基地局において、無線周波数電力増幅器のエネルギー消費は、基地局デバイスの総エネルギー消費における非常に高い割合を占める。エネルギー消費を低減するために、プライマリ電力増幅器とセカンダリ電力増幅器とを含んでいる２入力無線周波数回路、例えば、異相(outphasing)回路、又はドハーティ(DHT, Doherty)回路、が電力増幅効率を改善するために通常使用される。しかし、従来の２入力無線周波数回路を用いてバックオフ効率を向上させた場合、電力バックオフ(電力バックオフ)点と高電力点(high power point)との間の効率が、大幅に低下し得る。最終的に、変調波を出力するための基地局などの装置の効率が影響を受ける。
【０００３】
２入力無線周波数回路の大幅に低下する効率を改善するために、従来技術において、DHT回路と異相回路とを組み合わせて混合無線周波数回路を形成している。すなわち、異相回路が、DHT回路のプライマリ電力増幅器として使用され、そして、セカンダリ電力増幅器を付加して負荷変調(load modulation)を実行する。混合無線周波数回路は、電力バックオフ点と高電力点との間の２入力無線周波数回路の大幅に低下した効率を効果的に改善することができる。しかし、２入力無線周波数回路の入力信号の数は、元の２から３に増加しており、結果として、混合無線周波数回路全体の大きさが過大となってしまう。さらに、３つの入力信号を混合無線周波数回路に提供するために、混合無線周波数回路に３つの送信チャンネルを配置する必要がある。したがって、混合無線周波数回路は、使用コストが比較的高く、大規模な利用及び普及に好ましくない。
【０００４】
送信チャネルの数を減らすために、従来の一般的な方法においては、２つの送信チャンネルで送信された信号は、分割又は組み合わせなどの動作を実行することにより３つの入力信号に変換され、３つの入力信号は、混合無線周波数回路に接続される。しかし、この方法を用いて３つの入力信号が得られた後、２つの送信チャネル上で送信される信号が調整される場合には、少なくとも１つの入力信号は、期待値に調整することができない。その結果、定格電力の混合無線周波数回路は、最適な電力増幅効率に達することができず、回路全体の性能が低下する。
【発明の概要】
【課題を解決するための手段】
【０００５】
本発明の実施形態は、最適な電力高率に達するようにする無線周波数回路を提供する。本発明の実施形態は、送信器、基地局、及びユーザ端末をさらに提供する。
【０００６】
第１の態様によると、本発明の一実施形態は、第１回路と、第２回路とを含む無線周波数回路を提供し、前記第１回路は、第１信号及び第２信号を受信し、前記第１信号を、第３信号と、第４信号とに分割し、前記第２信号を、第５信号と、第６信号とに分割し、前記第５信号の位相を調整して第７信号を取得し、前記第７信号と前記第３信号とを合成し第８信号とするように構成されており、前記第２回路は、プライマリ電力増幅器ブランチと、セカンダリ電力増幅器ブランチとを含み、前記プライマリ電力増幅器ブランチは、異相回路を含み、前記セカンダリ電力増幅器ブランチは、セカンダリ電力増幅器を含み、前記異相回路は、前記第４信号及び前記第６信号を処理するように構成されており、前記セカンダリ電力増幅器は、前記第８信号を処理するように構成されている。
【０００７】
第１の態様の第１の可能な実装様式において、前記第１回路は、マイクロストリップをさらに含み、前記マイクロストリップは、前記第５信号の前記位相を調整するように構成され、前記マイクロストリップの長さは、前記第５信号の位相シフトに正比例する。
【０００８】
前述の可能な実装様式に関連し、第１の態様の第２の可能な実装様式において、前記第１回路は、アッテネーションネットワークと、コンバイナとをさらに含み、前記アッテネーションネットワークは、前記第７信号及び前記第３信号をアッテネートするように構成され、前記コンバイナは、前記アッテネートされた第７信号と、前記アッテネートされた第３信号とを結合して、前記第８信号とするように構成されている。
【０００９】
前述の可能な実装様式のどちらか一方に関連し、第１の態様の第３の可能な実装様式において、前記第１信号と前記第２信号は、変調信号に位相分解を実行することにより取得され、
前記第１信号の位相は、φ(t)であり、前記第２信号の位相は、-φ(t)であり、φ(t)の値は、０°から９０°の範囲であり、前記第１信号の振幅は、前記第２信号の振幅と等しく、φ(t)は、時間に関する関数であり、ｔ≧０、ｔは時間を示すことを含む。
【００１０】
前述の可能な実装様式のいずれか１つに関連し、第１の態様の第４の可能な実装様式において、前記第８信号を処理するように構成されている前記セカンダリ電力増幅器は、前記第８信号は、前記セカンダリ電力増幅器の信号入力端から入力され、前記第８信号の振幅が信号しきい値に達すると、前記セカンダリ電力増幅器は、前記第８信号の増幅処理の実行が開始され、前記信号しきい値は、前記セカンダリ電力増幅器の開始に必要な最小信号振幅であり、前記セカンダリ電力増幅器の導通角の値は、１２０°より大きい、ことを含む。
【００１１】
第２の態様によると、本発明の一実施形態は、第１の態様において提供される無線周波数回路を含んでいる送信器を提供する。
【００１２】
第３の態様によると、本発明の一実施形態は、第２の態様において提供される送信器を含んでいる基地局を提供し、前記基地局は、通信インターフェース、プロセッサ、及び電源をさらに含む。
【００１３】
第４の態様によると、本発明の一実施形態は、第２の態様において提供される送信器を含んでいるユーザ端末を提供し、前記ユーザ端末は、メモリ、外部ポート、ペリフェラルインターフェース、プロセッサ、及び電源をさらに含む。
【００１４】
本発明の実施形態は、第１回路と、第２回路とを含んでいる無線周波数回路を提供する。前記第１回路は、第１信号及び第２信号を受信し、前記第１信号を、第３信号と、第４信号とに分割し、前記第２信号を、第５信号と、第６信号とに分割し、前記第５信号の位相を調整して第７信号を取得し、前記第７信号と前記第３信号とを合成して第８信号とするように構成されている。前記第２回路は、プライマリ電力増幅器ブランチと、セカンダリ電力増幅器ブランチとを含み、前記プライマリ電力増幅器ブランチは、異相回路を含み、前記セカンダリ電力増幅器ブランチは、セカンダリ電力増幅器を含み、前記プライマリ電力増幅器ブランチは、前記第４信号及び前記第６信号を処理するように構成されており、前記セカンダリ電力増幅器ブランチは、前記第８信号を処理するように構成されている。本発明の実施形態において、異なる第１信号及び第２信号は、異なる第４信号及び第６信号に対応し、前記第８信号は、前記第５信号に対して位相調整を実行することにより制御され得る。したがって、前記第２回路に入力される前記第４信号、前記第６信号、及び前記第８信号は、前記第２回路に適合する最適なパラメータに調整することができ、定格電力の前記第２回路が、最高の効率に達することができ、回路の性能は良好であり、実際の適用要件を満たすことができる。
【図面の簡単な説明】
【００１５】
【図１】図１は、従来の混合無線周波数回路の概略構成図である。
【図２】図２は、本発明の一実施形態による無線周波数回路の概略構成図である。
【図３】図３は、本発明の一実施形態による第１回路の具体的な回路例での入出力特性曲線を示している。
【図４】図４は、本発明の一実施形態による他の無線周波数回路の概略構成図である。
【図５】図５は、本発明の一実施形態による無線周波数回路における第８信号の位相−位相曲線を示している。
【図６】図６は、本発明の一実施形態による基地局の概略構成図である。
【図７】図７は、本発明の一実施形態によるユーザ端末の概略構成図である。
【発明を実施するための形態】
【００１６】
本発明の実施形態は、回路の出力電力及び効率を改善するための無線周波数回路を提供し、以下に詳細な説明を提供する。
【００１７】
従来技術では、混合無線周波数回路は、プライマリ電力増幅器ブランチと、セカンダリ電力増幅器ブランチとを含む。混合無線周波数回路への入力信号を提供する回路の構造については、図１を参照。第１送信チャンネルで送信された信号は、信号(1)と信号(2)とに分割され、第２送信チャンネルで送信された信号は、信号(3)と信号(4)とに分割される。信号(1)と信号(3)は、混合無線周波数回路のプライマリ電力増幅器ブランチの入力として使用され、信号(2)と信号(4)とを結合して得られた信号(5)は、混合無線周波数回路のセカンダリ電力増幅器ブランチの入力として使用される。信号の分割及び結合は、カプラやパワースプリッタ等の回路又は構成要素により実施され、分割ルールは、分割を実行する回路や構成要素の特性に依存する。例えば、混合無線周波数回路への入力信号を提供する回路の位相シフトは０であり、第１送信チャンネルで送信された信号は、
【００１８】
【数１】
0006482668.tif 000002
【００１９】
であり、第２送信チャンネルで送信された信号は、
【００２０】
【数２】
0006482668.tif 000003
【００２１】
であり、０°から９０°の範囲のパワースプリッタが分割を結合を実行するために使用される。分割した後、信号(1)は、
【００２２】
【数３】
0006482668.tif 000004
【００２３】
であり、信号(2)は，
【００２４】
【数４】
0006482668.tif 000005
【００２５】
であり、信号(3)は、
【００２６】
【数５】
0006482668.tif 000006
【００２７】
であり、信号(4)は、
【００２８】
【数６】
0006482668.tif 000007
【００２９】
である。結合後、信号(5)は、
【００３０】
【数７】
0006482668.tif 000008
【００３１】
である、と想定する。Ａ1は、第１送信チャンネルで送信された信号のピークであり、φ1は、第１送信チャンネルで送信された信号の位相であり、Ａ2は、第２送信チャンネルで送信された信号のピークであり、φ2は、第２送信チャンネルで送信された信号の位相である。回路構造が決定された後、信号(1)と信号(3)の振幅と位相が常にそれぞれの期待値であることを確保するために、第１送信チャンネル及び第２送信チャンネルのパラメータＡ1、φ1、Ａ2、及びφ2、が調整される必要があることが、前述の例から理解し得る。したがって、セカンダリ電力増幅器ブランチに入力される信号(5)の振幅及び位相も変化せず、信号(5)の期待値に調整されることができない。第１送信チャンネル及び第２送信チャンネルで送信された信号をどのように調整するかに関係なく、信号(1)、信号(3)、又は信号(5)の少なくとも１つは、期待値に調整されることができない。
【００３２】
上記課題を解決するために、本発明の一実施形態は、無線周波数回路を提供する。概略構成図については、図２を参照。無線周波数回路は、
第１信号及び第２信号を受信し、第１信号を、第３信号と第４信号とに分割し、第２信号を、第５信号と第６信号とに分割し、第５信号の位相を調整して第７信号を取得し、第７信号と第３信号とを合成し第８信号とするように構成された第１回路２０１と、
プライマリ電力増幅器ブランチと、セカンダリ電力増幅器ブランチとを含んでいる第２回路２０２であって、プライマリ電力増幅器ブランチは、異相回路を含み、セカンダリ電力増幅器ブランチは、セカンダリ電力増幅器を含み、異相回路は、第４信号及び第６信号を処理するように構成されており、セカンダリ電力増幅器は、第８信号を処理するように構成されている、第２回路２０２と、
を主に含む。
【００３３】
第１信号と、第２信号は、第１回路２０１の入力信号であり、異なる第１信号及び第２信号は、異なる第４信号及び第６信号に対応する。具体的には、分割された後、異なる第１信号は、異なる第４信号に対応しており、分割された後、異なる第２信号は、異なる第６信号に対応している。
【００３４】
第２信号を分割して得られた第５信号の位相調整を実行することにより得られた第７信号は、第１信号を分割して得られた第３信号と結合され、第８信号を生成する。したがって、第５信号に位相調整を実行することにより、異なる角度の位相シフトが、第５信号に生じ、第８信号を制御することができる。
【００３５】
この実施形態は、第１回路２０１と、第２回路２０２とを含む無線周波数回路を提供する。第２回路２０２に入力される３つの入力信号のすべてが第２回路２０２に適合する最適なパラメータに調整される場合にのみ、定格電力での第２回路２０２が最高効率に達することが理解され得る。この実施形態において、第４信号及び第６信号は、第１信号及び第２信号を調整することにより制御され得、第８信号は、第５信号の位相調整を実行することにより制御され得る。このようにして、第２回路２０２に入力される第４信号、第６信号、及び第８信号のすべてが、第２回路２０２に適合する最適なパラメータに柔軟に調整することが可能であるため、定格電力での第２回路２０２が最高効率に達し、実際の適用要件を満たすことが可能となる。
【００３６】
任意選択的に、第１回路２０１は、第５信号の位相を調整するように構成されたマイクロストリップをさらに含む。マイクロストリップの長さは、第５信号の位相シフトに正比例する。より長いマイクロストリップは、第５信号のより大きな位相シフトを導く。あるいは、本発明のこの実施形態において、第５信号の位相を調整するために、遅延線、可変容量ダイオード、位相シフタ、又は他の回路若しくは構成要素を使用することができる。これは本明細書に限定されない。
【００３７】
任意選択的に、本発明の他の実施形態において、第１信号及び第２信号は、デジタル領域における変調信号に位相分解(phase decomposition)を実行することにより取得されてもよい。第１信号及び第２信号は、同一の振幅であるとともに逆位相を有している。第１信号及び第２信号の振幅又は位相は、変調信号の振幅又は位相を調整することにより調整され得る。変調信号は、通常、正弦波信号に包絡線変調を実行することにより取得される。位相分解をデジタル領域で行う場合、変調信号の振幅と、変調信号の分解位相(decomposition phase)との対応関係は以下のとおりである。
【００３８】
【数８】
0006482668.tif 000009
【００３９】
ここで、φ(t)は、変調信号の分解位相の瞬時値を示しており、r(t)は、変調信号の振幅の瞬時値を示しており、rmaxは、変調信号の振幅のピークを示しており、φ(t)は、時間に関する関数であり、ｔ≧０、ｔは時間を示しており、０＜φ(t)＜９０°である。
【００４０】
式(1)から、変調信号の分解位相は、変調信号の振幅によって変化することが分狩り得る。特定の瞬間に、変調信号のより大きな振幅は、変調信号のより小さい分解位相を導き、又は、変調信号のより小さな振幅は、変調信号のより大きな分解位相を導く。
【００４１】
式(1)に示されている位相分解が実行された後、変調信号は、第１信号と第２信号とに分解される。第１信号と第２信号の振幅は等しく、かつrmaxより大きくなく、第１信号の位相は、φ(t)であり、第２信号の位相は、-φ(t)である。
【００４２】
第１信号と第２信号の振幅は等しい。振幅と位相は、時間とともに変化する。したがって、分割後に取得される第３信号、第４信号、第５信号、及び第６信号、及び第５信号の位相調整を実行することにより得られる第７信号の振幅と位相は、時間とともに変化する。第８信号は、第７信号と第３信号を合成することで得られるため、第８信号の振幅は、第７信号と第３信号の位相に関連する。第５信号に位相調整が実行されるため、第５信号の位相に異なる角度のシフトが生じ、得られた第８信号は、異なる位相−振幅曲線を有する。具体的な適用例は、図３を参照。
【００４３】
図３は、第１回路２０１の具体的な回路例での入出力特性曲線を示している。水平座標軸は、変調信号の分解位相、すなわち、第１信号の位相値を示している。垂直座標軸は、変調信号の最大電圧値を正規化することにより得られた記第８信号の電圧振幅を示している。異なる曲線は、第５信号の異なる位相シフトに対応する第８信号を示している。曲線１は、第５信号の位相シフトが０である(すなわち、位相調整が実行されていない)場合の第８信号を示している。曲線２は、第５信号の位相シフトが２０°の場合の対応する第８信号を示している。曲線３は、第５信号の位相シフトが４０°の場合の対応する第８信号を示している。比較を容易にするため、変調信号の位相−振幅曲線、すなわち、曲線０も、図３に加えられている。
【００４４】
曲線２又は３と曲線１との比較から、第５信号の位相を調整した後に、第８信号の振幅値は小さくなることが分かり得る。曲線２と曲線３との比較から、第８信号の振幅値は、第５信号の位相を調整することにより制御され得、第５信号のより大きな位相シフトが第８信号のより小さな振幅を導くことが分かり得る。
【００４５】
第２回路２０２は、プライマリ電力増幅器ブランチと、セカンダリ電力増幅器ブランチを含む。プライマリ電力増幅器ブランチは、異相回路を含み、セカンダリ電力増幅器ブランチは、セカンダリ電力増幅器を含む。異相回路は、通常、クラスＢ又はクラスＡＢ状態で動作し、セカンダリ電力増幅器は、通常、クラスＣ状態で動作する。第２回路２０２が動作すると、異相回路は、イネーブルのままであるが、セカンダリ電力増幅器は、最初は起動されない。セカンダリ電力増幅器の信号入力端に入力される第８信号の振幅が、セカンダリ電力増幅器が起動可能な最小信号振幅に達する、すなわち、導通角に対応する信号しきい値に達する場合にのみ、セカンダリ電力増幅器が起動され、第８信号に増幅処理が実行される。変調信号の振幅が比較的小さい場合には、変調信号の分解位相は比較的大きく、第８信号の振幅は比較的小さく、セカンダリ電力増幅器が起動していないことが分かり得る。変調信号の振幅が比較的大きい場合には、変調信号の分解位相は比較的小さく、第８信号の振幅は比較的大きく、セカンダリ電力増幅器が起動される。したがって、変調信号の振幅が比較的大きい場合にのみセカンダリ電力増幅器が起動され、回路の電力増幅効率が改善される。
【００４６】
従来技術において、セカンダリ電力増幅器は、セカンダリ電力増幅器に入力される信号の振幅が信号しきい値に達する場合にのみ、セカンダリ電力増幅器が起動されることを確保するために、通常、グリッド電圧バイアスを使用して、ディープクラスＣ(すなわち、セカンダリ電力増幅器の導通角が比較的小さい、例えば１００°)条件に調整され、セカンダリ電力増幅器の導通角が小さいほどセカンダリ電力増幅器に対応する信号しきい値が大きくなる。しかし、セカンダリ電力増幅器の導通角が比較的小さい場合には、セカンダリ電力増幅器が起動した後、第２回路２０２の飽和電力とゲインの両方が大きく影響を受ける。その結果、無線周波数回路の飽和電力が比較的小さくなり、回路のゲイン曲線は、大幅に圧縮され、実際の適用要件をみたすことができない。セカンダリ電力増幅器の導通角がグリッド電圧バイアスを調整することにより増加する場合には、セカンダリ電力増幅器に対応する信号しきい値が小さくなるため、変調信号の振幅が比較的小さい場合であっても、第８信号が信号しきい値に達することができ、したがって、セカンダリ電力増幅器が起動される。しかし、入力信号の振幅が比較的小さいため、無線周波数回路の電力増幅効率は比較的低い。このため、従来技術では、無線周波数回路の電力増幅効率と飽和電力とのバランスをとることができない。回路の電力増幅効率は、飽和電力及び回路の線形特性を犠牲にして確保される。
【００４７】
この実施形態において、第５信号の異なる位相を調整することで、第８信号の振幅値が調整され、回路の電力増幅効率が確保される場合に、回路の飽和電力が改善される。具体的には、まず、第８信号の振幅が小さくなるため、この実施形態において、変調信号の振幅が比較的小さい場合に、第８信号が信号しきい値に達することができないことを保証して、セカンダリ電力増幅器に対応する信号しきい値は、適切に低減することができる。したがって、回路の電力増幅効率が確保される。第２に、この実施形態において、セカンダリ電力増幅器に対応する信号しきい値を、小さくすることができ、したがって、セカンダリ電力増幅器は、セカンダリ電力増幅器のグリッド電圧バイアスを用いて、ライトクラスＣ(すなわち、セカンダリ電力増幅器の導通角は比較的大きい。本明細書において提供される無線周波数回路では、セカンダリ電力増幅器の導通角は、１２０°より大きい値、例えば１６０°であってもよい)に調整することができる。このようにして、セカンダリ電力増幅器が起動された後、第２回路２０２の飽和電力が増加する。つまり、この実施形態においては、第２回路２０２の電力増幅効率を低下させることなく、第２回路２０２の飽和電力を改善することができる。
【００４８】
例えば、図３において、マイクロストリップ又は他の回路若しくは構成要素により第５信号を調整するために基準は、次のようなものであり得る：第１位相値が第２位相値より大きくなるように、第５信号の位相が調整される。第１位相値は、第８信号の位相−振幅曲線と変調信号の位相−振幅曲線(曲線０)との交点に対応する第１信号の位相値である。第２位相値は、第２回路の電力バックオフ点に対応する第１信号の位相値である。これは、セカンダリ電力増幅器が、電力バックオフ中にスイッチオフ状態を維持できることを確保することができ、第８信号の電力が、電力バックオフ点での電力よりも大きい場合に、迅速に起動可能である。
【００４９】
図２において示されている実施形態に基づいて、本発明の一実施形態は、変調信号に位相分解を実行することにより、第１信号及び第２信号が得られた後に、さらに付加機能を実施するように構成される、より洗練された無線周波数回路をさらに提供する。図４を参照すると、無線周波数回路の基本構造は、第１回路４０１と第２回路４０２とを含む。
【００５０】
第１回路４０１は、第１信号と、第２信号とを受信し、第１信号と第２信号は変調信号に位相分解を実行することにより取得され、第１信号を、第３信号と第４信号とに分割し、第２信号を、第５信号と第６信号とに分割し、第５信号の位相を調整して第７信号を取得する、ように構成されている。信号分割は、カプラ又はパワースプリッタなどの回路又は構成要素により実施され得るが、これは本明細書に限定されない。第５信号の位相は、マイクロストリップ、遅延線、可変容量ダイオード、位相シフタ、又は他の回路若しくは構成要素により調整され得るが、これは本明細書に限定されない。第１回路４０１は、アッテネーションネットワーク及びコンバイナをさらに含む。アッテネーションネットワークは、第７信号及び第３信号をアッテネートするように構成されている。コンバイナは、アッテネートされた第７信号とアッテネートされた第３信号とを結合して第８信号とするように構成されている。コンバイナは、カプラ又はパワースプリッタなどの回路又は構成要素であってよく、これは本明細書に限定されない。コンバイナは、カプラ又はパワースプリッタなどの回路又は構成要素の位相シフトを補償するために、マイクロストリップ、遅延線、可変容量ダイオード、位相シフタ、又はアッテネートされた第３信号又はアッテネートされた第７信号に位相調整を実行するように構成されている他の回路若しくは構成要素をさらに含んでよい。
【００５１】
第２回路４０２は、基本的には、図２に示されている第２回路２０２と同じであり、ここでは再び詳細な説明は記載しない。
【００５２】
第１回路４０１のアッテネーションネットワークは、第７信号及び第３信号の振幅が調整できるように、第７信号及び第３信号をアッテネートする。図５を参照すると、第７信号及び第３信号の振幅が変化する場合には、結合後に得られた第８信号の位相は変化する。
【００５３】
図５において、曲線１は、第７信号の振幅が１Ｖ、第３信号の振幅が０．８Ｖ、及び第５信号の位相シフトが３０°の場合の第８信号の位相−位相曲線を示している。図５において、曲線２は、第７信号の振幅が０．８Ｖにアッテネートされ、第３信号の振幅が１Ｖであり、及び第５信号の位相シフトが３０°である場合の第８信号の位相−位相曲線を示している。水平座標軸は、変調信号の分解位相を示し、垂直座標軸は、第８信号の位相を示している。第７信号及び第３信号の振幅が変化する場合には、結合後に得られた第８信号の位相が変化することが、図５から分かり得る。したがって、第７信号及び第３信号の振幅を調整するアッテネーションネットワークを配置することにより第８信号の位相は制御されることができる。したがって、図４に示されている実施形態において提供される無線周波数回路によれば、第８信号のＡＭ−ＰＭ特性を調整することができ、無線周波数回路の線形補正効果が改善され、無線周波数回路の出力信号の歪みが低減される。ＡＭ−ＰＭ特性とは、入力信号の振幅変動により増幅器の入力信号と増幅器の出力信号との間の位相差が変化することをいう。
【００５４】
任意選択的に、本発明のこの実施形態において、マイクロストリップ又は他の回路などの構成要素、又は第５信号の位相を調整するための構成要素、アッテネーションネットワーク、及び／又はコンバイナは、振幅変調及び／又は位相変調機能を有するチップと置き換えることができる。これは、本発明のこの実施形態では限定されない。
【００５５】
本発明の一実施形態は、図２又は図４に記載されている無線周波数回路を含んでいる送信器をさらに提供する。本発明のこの実施形態において提供される送信器は、基地局の無線周波数部分、例えばリモート無線ユニット(RRU, remote radio unit)内において使用されてもよく、又は基地局(BTS, base transceiver station)内において使用されてもよく、又はユーザ端末で使用されてもよく、又は他の通信装置若しくはデバイスで使用されてもよい。これは本明細書に限定されない。
【００５６】
さらに、図６を参照すると、本発明の一実施形態は、通信インターフェース６０１、プロセッサ６０２、電源６０３、及び送信器６０４を含んでいる基地局をさらに提供する。送信器６０４は、前述の実施形態において説明された送信器である。本発明のこの実施形態において提供される基地局は、この図において示されていない汎用装置、モジュール、及び回路などの他のいくつかの構造をさらに含んでもよいことが理解し得る。
【００５７】
さらに、本発明の一実施形態は、メモリ７０１、外部ポート７０２、送信器７０３、ペリフェラルインターフェース７０４、プロセッサ７０５、及び電源７０６を含むユーザ端末をさらに提供する。送信器７０３は、前述の実施形態において説明された送信器である。本発明のこの実施形態において提供されるユーザ端末は、この図において示されていない汎用装置、モジュール、及び回路などの他のいくつかの構造をさらに含んでもよいことが理解し得る。
【００５８】
当業者であれば、簡潔かつ簡単な説明のために、前述のシステム、モジュール、およびユニットの詳細な作業プロセスについて、前述の方法の実施形態における対応するプロセスを参照することができ、ここでは再び詳細は説明しないことは明らかに理解し得る。
【００５９】
この明細書において提供されるいくつかの実施形態において、開示されるシステム及び方法は他の様式において実装され得ることを理解すべきである。例えば、説明されたシステムの実施形態は単なる一例に過ぎない。例えば、ユニット区分は、単に論理的な機能区分であり、実際の実装においては他の区分であってもよい。例えば、複数のユニット又は構成要素は、組み合わせて又は他のシステムに統合してもよく、又は一部の機能を無視又は実行しなくてもよい。さらに、表示または議論された相互結合若しくは直接結合又は通信接続は、いくつかのインターフェースを使用することにより実施され得る。モジュール又はユニット間の間接的結合又は通信接続は、電子的、機械的、又は他の形態で実装されてもよい。
【００６０】
別個の部分として説明されたユニットは、物理的に分離されていてもいなくてもよく、ユニットとして表示された部分は、物理的ユニットであってもなくてもよく、一か所に配置されても、又は複数のネットワークユニット上に分散されてもよい。ユニットの一部又は全部は、実施形態のソリューションの目的を達成するために実際の必要に応じて選択され得る。
【００６１】
また、本発明の実施形態における機能ユニットは、１つの処理ユニットに統合されてもよく、又は各ユニットが物理的に単独で存在してもよく、又は２つ以上のユニットが１つの処理ユニットに統合されてもよい。統合ユニットは、ハードウェアの形態で実装されてもよく、又はソフトウェア機能ユニットの形態で実装されてもよい。
【００６２】
統合ユニットがソフトウェア機能ユニットの形態で実装され、個別の製品として販売又は使用される場合には、統合ユニットは、コンピュータ可読記憶媒体に格納されてもよい。そのような理解に基づいて、本質的に本発明の技術的ソリューション、又は従来技術に寄与する部分、又は技術的ソリューションのすべて又はいくつかは、ソフトウェア製品の形態において実装され得る。ソフトウェア製品は、記憶媒体に格納され、コンピュータデバイス（パーソナルコンピュータ、サーバ、又はネットワークデバイス）に本発明の実施形態において説明された方法のステップのすべて又は一部を実行するように指示するためのいくつかの命令を含む。上述の記憶媒体は、ＵＳＢフラッシュドライブ、リムーバブルハードディスク、読み取り専用メモリ(ROM, Read-Only memory)、ランダムアクセスメモリ、(RAM, Random Access memory)、磁気ディスク、又は光ディスクなどのプログラムコードを格納可能な任意の媒体を含む。
【符号の説明】
【００６３】
６０１  通信インターフェース
６０２  プロセッサ
６０３  電源
６０４  送信器
７０１  メモリ
７０２  外部ポート
７０３  送信器
７０４  ペリフェラルインターフェース
７０５  プロセッサ
７０６  電源
【図１】
0006482668.tif 000010
【図２】
0006482668.tif 000011
【図３】
0006482668.tif 000012
【図４】
0006482668.tif 000013
【図５】
0006482668.tif 000014
【図６】
0006482668.tif 000015
【図７】
0006482668.tif 000016